(57)【特許請求の範囲】
【請求項１】
複数の加入者電話機を収容する交換機における局番号別プリトランスレーション方式であって、前記交換機は、前記加入者電話機からのダイヤル番号を受信するダイヤル受信装置を備えて前記加入者電話機を制御する加入者制御装置と、前記加入者制御装置からのダイヤル番号と該ダイヤル番号を発信した加入者電話機の加入者線番号を受信して、前記加入者線番号から該ダイヤル番号を発信した加入者電話機の加入者電話番号を取得し、該加入者電話番号の局番号を識別し、該局番号が予め設定してある種別番号の何れに該当するかを取得し、取得した該当種別番号に対応して予め設定してあるダイヤル数字に、該ダイヤル番号のはじめの数桁が一致するかを照合し、一致しない場合は該ダイヤル番号が欠番であると判定し、一致する場合すなわち欠番でない場合は、該ダイヤル番号が市外通話であるか市内通話であるか特番であるか発信制限されているか、の判定を行い、判定の結果に応じて該ダイヤル番号に接続するか、該ダイヤル番号は欠番あるいは発信制限されている旨を発信した加入者に伝達するか、の処理を行なうプリトランスレーション部と、を備えることを特徴とする局番号別プリトランスレーション方式。
【請求項２】
前記プリトランスレーション部は、前記加入者制御装置からのダイヤル番号と該ダイヤル番号を発信した加入者電話機の加入者線番号を受信して該呼の処理を行なう呼処理部と、前記加入者線番号から該ダイヤル番号を発信した加入者電話機の加入者電話番号を取得するための加入者データ記憶部と、該加入者電話番号の局番号がどの種別番号に該当するかを取得する局番号データ記憶部と、前記種別番号ごとに該ダイヤル番号が欠番であるか、或いは欠番でない場合に、該ダイヤル番号が市外通話であるか市内通話であるか特番であるか発信制限されているか、の判定を行うためのデータを記憶するデータ記憶部と、を少なくとも備えることを特徴とする請求項１に記載の局番号別プリトランスレーション方式。
【請求項３】
前記交換機は、前記プリトランスレーション部が備える前記加入者データ記憶部と前記局番号データ記憶部と前記データ記憶部の内容を任意に書き換えることを可能とするデータ入力部を、更に備えることを特徴とする請求項２に記載の局番号別プリトランスレーション方式。
【発明の詳細な説明】
【０００１】
【発明の属する技術分野】
本発明は局番号別プリトランスレーション方式に関し、特に電話の交換機において、加入者からの発信電話番号によって最終着信番号判定を行い、電話接続サービスの内容を特定し、あるいは発信制限を行うことを可能とする局番号別プリトランスレーション方式に関する。
【０００２】
【従来の技術】
一般に、電話による通信は、電話の加入者が相手の加入者の電話番号をダイヤルすることによって開始される。通常、加入者がダイヤルした発信電話番号に誤りの無い場合や、電話ネットワークが正常に機能している場合は、何の制限もなく電話通信を行うことが可能である。しかし、発信電話番号に誤りのある場合等においては、その発信は不可能であることを発信加入者に伝達することが必要となる場合がある。また、ある加入者あるいは地域への電話が殺到して電話ネットワークが過飽和状態に陥った場合等においては、加入者からの発信を制限することも必要となる場合がある。このように電話接続サービスの内容を特定し、あるいは発信制限を行う方式の一つとして、電話の交換機におけるプリトランスレーションを挙げることができる。
【０００３】
交換機におけるプリトランスレーションは、加入者が発信する電話番号を受付可能か否かを設定したり、相手先の電話番号の最大桁数の設定、あるいは当該電話番号が市内局番か市外局番か等の電話接続サービスの内容を設定しておき、設定された電話番号への発信があった場合に、該当する電話番号への最終着信番号判定を行って、電話接続サービスを実施したり、あるいは該当する電話番号への発信制限を行ったりするものであり、加入者が発信する電話番号の接続相手先の判定を行うものである。
【０００４】
【発明が解決しようとする課題】
上述した従来のプリトランスレーション方式は、加入者が発信する相手先の電話番号、すなわち着信側の電話番号によってサービス内容を決定したり発信制限を行ったりするものであった。従って、電話番号を発信する側の加入者の電話番号、あるいは発信する側の加入者の地域によってサービス内容を変えたり発信制限を行ったりすることはできなかった。
【０００５】
本発明の目的は、発信側の加入者の電話番号によって最終着信番号判定を行い、電話接続サービスの内容を特定し、あるいは発信制限を行うことを可能とする局番号別プリトランスレーション方式を提供することにある。
【０００６】
【課題を解決するための手段】
本発明の局番号別プリトランスレーション方式は、複数の加入者電話機を収容する交換機における局番号別プリトランスレーション方式であって、前記交換機は、前記加入者電話機からのダイヤル番号を受信するダイヤル受信装置を備えて前記加入者電話機を制御する加入者制御装置と、前記加入者制御装置からのダイヤル番号と該ダイヤル番号を発信した加入者電話機の加入者線番号を受信して、前記加入者線番号から該ダイヤル番号を発信した加入者電話機の加入者電話番号を取得し、該加入者電話番号の局番号を識別し、該局番号が予め設定してある種別番号の何れに該当するかを取得し、取得した該当種別番号に対応して予め設定してあるダイヤル数字に、該ダイヤル番号のはじめの数桁が一致するかを照合し、一致しない場合は該ダイヤル番号が欠番であると判定し、一致する場合すなわち欠番でない場合は、該ダイヤル番号が市外通話であるか市内通話であるか特番であるか発信制限されているか、の判定を行い、判定の結果に応じて該ダイヤル番号に接続するか、該ダイヤル番号は欠番あるいは発信制限されている旨を発信した加入者に伝達するか、の処理を行なうプリトランスレーション部と、を備えることを特徴とする。
【０００７】
また、前記プリトランスレーション部は、前記加入者制御装置からのダイヤル番号と該ダイヤル番号を発信した加入者電話機の加入者線番号を受信して該呼の処理を行なう呼処理部と、前記加入者線番号から該ダイヤル番号を発信した加入者電話機の加入者電話番号を取得するための加入者データ記憶部と、該加入者電話番号の局番号がどの種別番号に該当するかを取得する局番号データ記憶部と、前記種別番号ごとに該ダイヤル番号が欠番であるか、或いは欠番でない場合に、該ダイヤル番号が市外通話であるか市内通話であるか特番であるか発信制限されているか、の判定を行うためのデータを記憶するデータ記憶部と、を少なくとも備えることを特徴とする。
【０００８】
さらに、前記交換機は、前記プリトランスレーション部が備える前記加入者データ記憶部と前記局番号データ記憶部と前記データ記憶部の内容を任意に書き換えることを可能とするデータ入力部を、更に備えることを特徴とする。
【００１４】
【発明の実施の形態】
次に、本発明の実施の形態について図面を参照して説明する。
【００１５】
図１は本発明の局番号別プリトランスレーション方式の一つの実施の形態を示すブロック図である。
【００１６】
図１に示す本実施の形態は、複数の加入者電話機３と、加入者の電話機を収容する交換機１と、複数の加入者電話機３と交換機１とを接続する複数の加入者線２から構成されている。
【００１７】
交換機１は、加入者電話機を制御する加入者制御装置４と、加入者制御装置４からのデータによりプリトランスレーションを行うプリトランスレーション部１２とから構成されている。加入者制御装置４は、加入者電話機からの発信電話番号すなわちダイヤル番号を受信するダイヤル受信装置５を含んで構成されており、プリトランスレーション部１２は、加入者制御装置４からのデータを受け付けて該当呼の処理を行う呼処理部６と、呼処理部６が参照する加入者データ記憶部７と、局番号データ記憶部８と、プリトランスレーションデータ記憶部９とを備え、また、呼処理部６が使用するプリトランスレーション用局番号記憶部１０とプリトランスレーション結果記憶部１１とを備えて構成されている。また交換機１は、プリトランスレーション部１２の有する加入者データ記憶部７、局番号データ記憶部８及びプリトランスレーションデータ記憶部９のデータを任意に書き換えることを可能とするデータ入力部１３を含んで構成されている。
【００１８】
次に、図２を参照して、加入者データ記憶部７の構成について説明する。
【００１９】
図２は、加入者データ記憶部の構成例を示す図である。
【００２０】
図２において、加入者データ記憶部７は、加入者電話機と交換機とを接続する加入者線の加入者線番号と、対応する加入者線に接続されている加入者電話機の加入者電話番号とから構成されている。図２の例では、加入者線番号が「０００００１」の加入者電話番号が「０３（５８７７）ＸＸＸＸ」であり、加入者線番号が「０００００２」の加入者電話番号が「０４２（３０７）ＡＡＡＡ」であることを示している。
【００２１】
次に、図３を参照して、局番号データ記憶部８の構成について説明する。
【００２２】
図３は、局番号データ記憶部の構成例を示す図である。
【００２３】
図３において、局番号データ記憶部８は、局番号と該局番号に対応するプリトランスレーション種別番号とから構成されている。局番号は、加入者電話番号の内の市外局番号と市内局番号をプラスした番号であり、該交換機に接続されている全ての加入者の局番号を登録しておくものである。図３の例では、該交換機に接続されている加入者は、市外局番号が「０３」で市内局番号が「６９７１」及び「５８７７」の局番号を持つものと、市外局番号が「０４２」で市内局番号が「３０７」の局番号を持つものと、市外局番号が「０４２６」で市内局番号が「９７」の局番号を持つものとが登録されていることになる。
【００２４】
また、図３のプリトランスレーション種別番号は、プリトランスレーションデータ記憶部９の中のどの種別番号を参照するかを示す番号であり、図３の例では、局番号「０３（６９７１）」ではプリトランスレーション種別番号が「１」であり、局番号「０４２（３０７）」ではプリトランスレーション種別番号が「２」であること等を示している。
【００２５】
なお、図３の例では、一般の公衆電話網の局番号を一例として挙げてあるが、本発明においては必ずしも公衆電話網の局番号に限定する必要はない。例えば、一企業内だけの電話の交換を行う構内交換機においては、該企業内だけで特別に設定された局番号を、局番号データ記憶部８に自由に設定・登録することが可能である。
【００２６】
次に、図４を参照して、プリトランスレーションデータ記憶部９の構成について説明する。
【００２７】
図４は、プリトランスレーションデータ記憶部の構成例を示す図である。
【００２８】
図４において、プリトランスレーションデータ記憶部９は、プリトランスレーションを行うために設定されたプリトランスレーションデータの集合であり、プリトランスレーションの種別番号を表すプリトランスレーション種別番号と、加入者が発信したダイヤル番号のはじめから数桁分を示し該交換機が受付可能なダイヤル番号を示すダイヤル数字と、該ダイヤル数字の後に続くダイヤル番号の最大桁数と、該ダイヤル番号がダイヤルされたときに行うサービス内容とから構成されている。
【００２９】
図４の例では、プリトランスレーション種別番号が「１」のプリトランスレーションを行う場合は、先ず、該交換機が受付可能なダイヤル数字は、ダイヤル番号のはじめが「０３」、「０４２３」、「０４２６」、「６９７」、「５８７」、「１１」及び「１７」であることを示している。そして、ダイヤル数字「０３」の後に続くダイヤル番号の最大桁数は８桁までであり、かつ、ダイヤル数字「０３」がダイヤルされたときのサービス内容は、「通常」すなわち通常の市外通話をサービスすることを示している。また、ダイヤル数字「６９７」の後に続くダイヤル番号の最大桁数は５桁までであり、この時のサービス内容は「市内通話」すなわち市内通話をサービスすることを示している。ダイヤル数字「１１」の後に続くダイヤル番号の最大桁数は１桁であり、この時のサービス内容は「特番」すなわち警察や消防等への緊急電話であることを示している。また、ダイヤル数字「１７」がダイヤルされた場合のサービス内容は「制限」すなわち「１７・」番への電話は発信制限が行われていることを示している。
【００３０】
尚、図２に示した加入者データ記憶部７、図３に示した局番号データ記憶部８及び図４に示したプリトランスレーションデータ記憶部９は、交換機の運用形態に応じて、データ入力部１３から任意の値に書き換えることが可能である。
【００３１】
次に、図１、図２、図３、図４及び図５、図６を参照して、本発明の実施の形態の動作について説明する。
【００３２】
図５は、本実施の形態の動作を説明するフローチャートである。
【００３３】
図５において、図１に示した交換機１は加入者電話機３からのダイヤル待ち状態で待機している（Ｓ１）。加入者電話機３から発信がなされると、発信されたダイヤル番号をダイヤル受信装置５が検出し（Ｓ２）、当該呼の処理を行うため呼処理部６に発信されたダイヤル番号と発信した加入者電話機の加入者線番号とをデータとして通知する（Ｓ３）。呼処理部６は、通知された加入者線番号を元に加入者データ記憶部７を参照して発信した加入者電話番号を求める（Ｓ４）。次に、加入者電話番号から局番号データ記憶部８を参照して発信した加入者電話番号の局番号を抽出し（Ｓ５）、抽出した局番号をプリトランスレーション用局番号記憶部１０に設定する（Ｓ６）。次に、プリトランスレーション用局番号記憶部１０の局番号を元にプリトランスレーションを実行する（Ｓ７）。プリトランスレーションの動作すなわちステップＳ７の動作については、後に図６を参照して詳細に説明するが、プリトランスレーションの結果は、プリトランスレーション結果記憶部１１に設定されている。従って、プリトランスレーション結果記憶部１１を参照して次の動作を決定する（Ｓ８）。
【００３４】
ステップＳ８の結果が「市内通話」（ステップＳ８の「市内通話」へ分岐）であれば、該ダイヤル番号には市外局番号が付いていないものであったため、ダイヤル番号を発信した加入者電話番号の市外局番号をダイヤル番号に付加して新たなダイヤル番号とし（Ｓ９）、新たなダイヤル番号の局番号を局番号データ記憶部８を参照して新たに抽出し（Ｓ１０）、すなわちダイヤルされた着信側の局番号を抽出し、抽出した局番号をプリトランスレーション用局番号記憶部１０に設定し直して（Ｓ１１）、再度プリトランスレーションを行うため、ステップＳ７に戻る。ステップＳ９〜Ｓ１１の動作は、ダイヤルされたダイヤル番号に発信側の市外局番号を付加した電話番号（新たなダイヤル番号）が、誤りで無いことを確認するために行うものである。
【００３５】
ステップＳ８の結果が「通常」（ステップＳ８の「通常」へ分岐）であれば、通常の市外通話をサービスするため該市外電話番号に電話を接続し（Ｓ１２）、処理を終了してステップＳ１に戻る。
【００３６】
ステップＳ８の結果が「特番」（ステップＳ８の「特番」へ分岐）であれば、警察や消防等の特番に電話を接続し（Ｓ１３）、処理を終了してステップＳ１に戻る。
【００３７】
ステップＳ８の結果が「制限」（ステップＳ８の「制限」へ分岐）であれば、該電話番号は発信制限が行われているものであるため、発信制限の旨を発信した加入者に伝達し（Ｓ１４）、処理を終了してステップＳ１に戻る。
【００３８】
ステップＳ８の結果が「欠番」（ステップＳ８で「欠番」へ分岐）であれば、該ダイヤル番号は欠番であるため、欠番の旨を発信した加入者に伝達し（Ｓ１５）、処理を終了してステップＳ１に戻る。
【００３９】
次に、図６を参照して、プリトランスレーションの動作の詳細（図５のステップＳ７の動作の詳細）について説明する。
【００４０】
図６は、プリトランスレーション動作の詳細を説明するフローチャートである。
【００４１】
図６において、プリトランスレーションは、プリトランスレーション用局番号記憶部１０から局番号を取り出す（Ｓ２１）ことから始まる。次に、局番号データ記憶部８を参照してステップＳ２１で取り出した局番号のプリトランスレーション種別番号を抽出する（Ｓ２２）。抽出したプリトランスレーション種別番号を元にプリトランスレーションデータ記憶部９からプリトランスレーションデータを読み出す（Ｓ２３）。次にダイヤル番号のチェックを行うが、先ず、ダイヤル番号のはじめの数桁がプリトランスレーションデータのダイヤル数字の欄に有るか否かをチェックする（Ｓ２４）。ダイヤル数字の欄に無ければ（ステップＳ２４で無し）、該ダイヤル番号は欠番であるためプリトランスレーション結果記憶部１１に「欠番」を設定し（Ｓ２５）、処理を終了する。ダイヤル番号のはじめの数桁がダイヤル数字の欄に有れば（ステップＳ２４で有り）、次にダイヤル番号のダイヤル数字に続く桁数は最大桁数の欄で示される桁数以内かをチェックし（Ｓ２６）、最大桁数以上で有れば（ステップＳ２６で以上）該ダイヤル番号は桁数オーバーであるためプリトランスレーション結果記憶部１１に「欠番」を設定し（Ｓ２７）、処理を終了する。最大桁数以内で有れば（ステップＳ２６で以内）、次にダイヤル番号のダイヤル数字に示す行と同一行にあるサービス内容の欄をチェックする（Ｓ２８）。
【００４２】
サービス内容の欄が「制限」（ステップＳ２８で「制限」へ分岐）であれば、プリトランスレーション結果記憶部１１に「制限」を設定し（Ｓ２９）、処理を終了する。
【００４３】
サービス内容の欄が「特番」（ステップＳ２８で「特番」へ分岐）であれば、プリトランスレーション結果記憶部１１に「特番」を設定し（Ｓ３０）、処理を終了する。
【００４４】
サービス内容の欄が「市内通話」（ステップＳ２８で「市内通話」へ分岐）であれば、プリトランスレーション結果記憶部１１に「市内通話」を設定し（Ｓ３１）、処理を終了する。
【００４５】
サービス内容の欄が上記以外（ステップＳ２８で「左記以外」へ分岐）であれば、プリトランスレーション結果記憶部１１に「通常」を設定し（Ｓ３２）、処理を終了する。
【００４６】
次に、図７、図８、図９及び図１０を用いて、本発明の局番号別プリトランスレーション方式の具体例について説明する。
【００４７】
図７は、本発明の具体例１を説明する図である。
【００４８】
図７においては、発信側の加入者電話番号０３（５８７７）ＸＸＸＸの電話機から、６９７１ＺＺＺＺとダイヤルした場合に、０３（６９７１）ＺＺＺＺの電話番号の電話機に電話接続される動作の具体例を示す。
【００４９】
図７の（１）の処理の欄は、発信加入者のダイヤル番号が「６９７１ＺＺＺＺ」であり、この時、処理ステップの欄に示すように、交換機は図５のステップＳ１及びＳ２の動作を行い、交換機内の参照データは特に無いことを参照データの欄で示している。処理ステップの欄は、以下において全て処理の欄に対応する交換機の動作を、図５あるいは図６に示したフローチャートのステップで示すものとし、以降の説明を省略する。
【００５０】
図７の（２）と（３）において、交換機は参照データの欄に示す加入者データ記憶部７（図２）を参照し、発信加入者の加入者線番号が「０００００１」であることから、発信加入者の電話番号が０３（５８７７）ＸＸＸＸであることを認識する。
【００５１】
続いて、図７の（４）（５）において、交換機は局番号データ記憶部８（図３）を参照し、発信加入者の局番号０３（５８７７）を抽出し、局番号０３（５８７７）のプリトランスレーション種別番号が「１」であることを認識する。
【００５２】
続く（６）（７）（８）において、プリトランスレーションデータ記憶部９（図４）のプリトランスレーション種別番号「１」の欄のプリトランスレーションデータを読み出し、（６）においてダイヤル数字欄にダイヤル番号６９７１ＺＺＺＺのはじめの３桁の「６９７」が有ることを確認し、（７）において「６９７」に続く桁数が５桁以内であることを確認し、（８）においてダイヤル数字「６９７」のサービス内容欄が「市内通話」であることを認識する。
【００５３】
サービス内容が「市内通話」であるため、（９）において発信側の加入者の市外局番号「０３」をダイヤル番号「６９７１ＺＺＺＺ」の前に付加して、新たなダイヤル番号［０３６９７１ＺＺＺＺ］を得る。
【００５４】
（１０）（１１）において、局番号データ記憶部８（図３）を再度参照し、新たなダイヤル番号の局番号「０３（６９７１）」を抽出し、そのプリトランスレーション種別番号が「１」であることを認識する。
【００５５】
（１２）（１３）（１４）において、プリトランスレーションデータ記憶部９（図４）のプリトランスレーション種別番号「１」の欄のプリトランスレーションデータを読み出し、（１２）においてダイヤル数字欄に「０３」が有ることを確認し、（１３）において「０３」に続く桁数が８桁以内であることを確認し、（１４）において新たなダイヤル番号のはじめの２桁のダイヤル数字「０３」のサービス内容欄が「通常」であることを認識する。
【００５６】
最後に（１５）において、「通常」の市外通話であることが認識できたため、市外電話番号「０３（６９７１）ＺＺＺＺ」番に電話接続し、処理を終了する。
【００５７】
以上の動作を行うことにより、はじめのダイヤル番号が「６９７１ＺＺＺＺ」と市外局番号の無い番号であっても、市外局番号を付加した「０３（６９７１）ＺＺＺＺ」番に電話接続することが可能となる。
【００５８】
これらの動作は、プリトランスレーションを実行するにあたり、交換機に収容されている加入者の局番号を示す局番号データ記憶部を設け、発信者側の局番号によってプリトランスレーションを開始することにより実現可能となる。
【００５９】
図８は、本発明の具体例２を説明する図である。
【００６０】
図８においては、発信側の加入者電話番号０４２（３０７）ＡＡＡＡの電話機から、６９７ＢＢＢＢとダイヤルした場合に、６９７ＢＢＢＢの電話番号あるいはそのダイヤル番号の前に発信側の加入者の市外局番号を付した０４２（６９７）ＢＢＢＢの電話番号は欠番であると判断する動作の具体例を示す。
【００６１】
図８の（１）の処理の欄は、発信加入者のダイヤル番号が「６９７ＢＢＢＢ」であり、この時、処理ステップの欄に示すように、交換機は図５のステップＳ１及びＳ２の動作を行い、交換機内の参照データは特に無いことを参照データの欄で示している。処理ステップの欄は、以下において全て処理の欄に対応する交換機の動作を、図５あるいは図６に示したフローチャートのステップで示すものとし、以降の説明を省略する。
【００６２】
図８の（２）と（３）において、交換機は参照データの欄に示す加入者データ記憶部７（図２）を参照し、発信加入者の加入者線番号が「０００００２」であることから、発信加入者の電話番号が０４２（３０７）ＡＡＡＡであることを認識する。
【００６３】
続いて、図８の（４）（５）において、交換機は局番号データ記憶部８（図３）を参照し、発信加入者の局番号０４２（３０７）を抽出し、局番号０４２（３０７）のプリトランスレーション種別番号が「２」であることを認識する。
【００６４】
続く（６）において、プリトランスレーションデータ記憶部９（図４）のプリトランスレーション種別番号「２」の欄のプリトランスレーションデータを読み出し、ダイヤル数字欄にダイヤル番号６９７ＢＢＢＢのはじめの数桁の「６９・・」が無いことを確認する。すなわち、ダイヤル番号６９７ＢＢＢＢは、プリトランスレーション種別番号「２」においては欠番であることを認識する。
【００６５】
欠番であることが認識できたため、（７）において欠番の処理を行い、最後に（８）において、ダイヤル番号「６９７ＢＢＢＢ」番は欠番である旨を発信した加入者に伝達し、処理を終了する。
【００６６】
図８の動作は、プリトランスレーションを実行するにあたり、交換機に収容されている加入者の局番号を示す局番号データ記憶部を設けると共に、発信者側の局番号毎に複数のプリトランスレーション種別番号を設け、プリトランスレーション種別番号の違いによって、発信可能なダイヤル番号をプリトランスレーションデータ記憶部に設定しておいたことにより実現可能となる。
【００６７】
図９は、本発明の具体例３を説明する図である。
【００６８】
図９においては、発信側の加入者電話番号０３（５８７７）ＸＸＸＸの電話機から、１１０とダイヤルした場合に、１１０の電話番号に電話接続される動作の具体例を示す。
【００６９】
図９の（１）の処理の欄は、発信加入者のダイヤル番号が「１１０」であり、この時、処理ステップの欄に示すように、交換機は図５のステップＳ１及びＳ２の動作を行い、交換機内の参照データは特に無いことを参照データの欄で示している。処理ステップの欄は、以下において全て処理の欄に対応する交換機の動作を、図５あるいは図６に示したフローチャートのステップで示すものとし、以降の説明を省略する。
【００７０】
図９の（２）と（３）において、交換機は参照データの欄に示す加入者データ記憶部７（図２）を参照し、発信加入者の加入者線番号が「０００００１」であることから、発信加入者の電話番号が０３（５８７７）ＸＸＸＸであることを認識する。
【００７１】
続いて、図９の（４）（５）において、交換機は局番号データ記憶部８（図３）を参照し、発信加入者の局番号０３（５８７７）を抽出し、局番号０３（５８７７）のプリトランスレーション種別番号が「１」であることを認識する。
【００７２】
続く（６）（７）（８）において、プリトランスレーションデータ記憶部９（図４）のプリトランスレーション種別番号「１」の欄のプリトランスレーションデータを読み出し、（６）においてダイヤル数字欄にダイヤル番号１１０のはじめの２桁の「１１」が有ることを確認し、（７）において「１１」に続く桁数が１桁以内であることを確認し、（８）においてダイヤル数字「１１」のサービス内容欄が「特番」であることを認識する。
【００７３】
サービス内容が「特番」であるため、（９）において特番「１１０」番に電話接続し、処理を終了する。
【００７４】
図９の動作は、プリトランスレーションを実行するにあたり、プリトランスレーション種別番号を複数設け、プリトランスレーション種別番号の違いによって発信可能なダイヤル番号をプリトランスレーションデータ記憶部に設定しておき、かつ、サービス内容欄に「特番」を設定しておいたことにより実現できる。
【００７５】
図９の具体例３の場合において、プリトランスレーション種別番号が「２」あるいは「３」であったとすれば、そのプリトランスレーションデータ記憶部のダイヤル数字欄には「１１・」が設定されていないため、ダイヤル番号「１１０」番は欠番と判断されることになる。
【００７６】
図１０は、本発明の具体例４を説明する図である。
【００７７】
図１０においては、発信側の加入者電話番号０３（５８７７）ＸＸＸＸの電話機から、１７７とダイヤルした場合に、１７７の電話番号は発信制限されているため、電話接続がなされない動作の具体例を示す。
【００７８】
図１０の（１）の処理の欄は、発信加入者のダイヤル番号が「１７７」であることを示している。この後の図１０（２）から図１０（５）までは、図９と全く同一の動作であるためその説明を省略する。
【００７９】
続く図１０の（６）（７）（８）において、プリトランスレーションデータ記憶部９（図４）のプリトランスレーション種別番号「１」の欄のプリトランスレーションデータを読み出し、（６）においてダイヤル数字欄にダイヤル番号１７７のはじめの２桁の「１７」が有ることを確認し、（７）において「１７」に続く桁数が１桁以内であることを確認し、（８）においてダイヤル数字「１７」のサービス内容欄が「制限」であることを認識する。
【００８０】
サービス内容が「制限」であるため、（９）において「１７７」番は発信制限されている旨を発信した加入者に伝達し、処理を終了する。
【００８１】
図１０の動作は、プリトランスレーションを実行するにあたり、プリトランスレーション種別番号を複数設け、プリトランスレーション種別番号の違いによって発信可能なダイヤル番号をプリトランスレーションデータ記憶部に設定しておき、かつ、サービス内容欄に「制限」を設定しておいたことにより実現できる。
【００８２】
図１０の具体例４の場合において、プリトランスレーション種別番号が「２」あるいは「３」であったとすれば、そのプリトランスレーションデータ記憶部のダイヤル数字欄には「１７・」が設定されていないため、ダイヤル番号「１７７」番は欠番と判断されることになる。
【００８３】
【発明の効果】
以上説明したように、本発明の局番号別プリトランスレーション方式は、発信側の加入者の電話番号の局番号毎にプリトランスレーション種別の設定を変更できるため、発信側の電話番号の局番号によって最終着信番号判定を行い、電話接続サービスの内容を特定し、あるいは又、発信側の局番号によって発信制限を行うことが可能となるという効果を有している。
【図面の簡単な説明】
【図１】本発明の局番号別プリトランスレーション方式の一つの実施の形態を示すブロック図である。
【図２】加入者データ記憶部の構成例を示す図である。
【図３】局番号データ記憶部の構成例を示す図である。
【図４】プリトランスレーションデータ記憶部の構成例を示す図である。
【図５】本実施の形態の動作を説明するフローチャートである。
【図６】プリトランスレーション動作の詳細を説明するフローチャートである。
【図７】本発明の具体例１を説明する図である。
【図８】本発明の具体例２を説明する図である。
【図９】本発明の具体例３を説明する図である。
【図１０】本発明の具体例４を説明する図である。
【符号の説明】
１    交換機
２    加入者線
３    加入者電話機
４    加入者制御装置
５    ダイヤル受信装置
６    呼処理部
７    加入者データ記憶部
８    局番号データ記憶部
９    プリトランスレーションデータ記憶部
１０    プリトランスレーション用局番号記憶部
１１    プリトランスレーション結果記憶部
１２    プリトランスレーション部
１３    データ入力部
【図１】
0003669478.tif 000002
【図２】
0003669478.tif 000003
【図３】
0003669478.tif 000004
【図４】
0003669478.tif 000005
【図５】
0003669478.tif 000006
【図６】
0003669478.tif 000007
【図７】
0003669478.tif 000008
【図８】
0003669478.tif 000009
【図９】
0003669478.tif 000010
【図１０】
0003669478.tif 000011